(57)【要約】【課題】タワミ振動スピーカーの音質に関して、特に低音は音が拡散しやすい性質があり、スピーカーの背面へ回って前へ出るべきエネルギーが無駄に消費される傾向がある。 【解決手段】 前方と後方とを前面に設置した平板状のフロントバッフル（１）で遮断し、音を後ろへ回り込ませない構造のタワミ振動スピーカー用のスピーカースタンドを提案する。  【選択図】図１
2019033309.tif 000002
【特許請求の範囲】
【請求項１】
少なくともスピーカーの横幅をカバーできる幅があり、弾性の無い、且つ平板状である事を特徴としたフロントバッフル（１）を前面に配置した構造の、タワミ振動スピーカー用スピーカースタンド。
【発明の詳細な説明】
【技術分野】
【０００１】
スピーカースタンドの発明である。
【背景技術】
【０００２】
スピーカー関連商品には、常に技術改新が求められている。
【先行技術文献】
【特許文献】
【０００３】
【特許文献１】特開２００１−１８９９７９
【特許文献２】特開２００６−２８７８９４
【特許文献３】特開２０１５−１３６０７６
【発明の概要】
【発明が解決しようとする課題】
【０００４】
特許文献３などのタワミ振動スピーカーの音質に関して、特に低音は音が拡散しやすい性質があり、スピーカーの背面へ回って前へ出るべきエネルギーが無駄に消費される傾向がある。
【課題を解決するための手段】
【０００５】
少なくともスピーカーの横幅をカバーできる幅があり、弾性の無い、且つ平板状である事を特徴としたフロントバッフル（１）を前面に配置した構造の、タワミ振動スピーカー用スピーカースタンドを提案する。
【０００６】
フロントバッフル（１）とは、前方と後方とを遮断し、音を後ろへ回り込ませないようにする為に、スピーカー用スタンドの前面に配置されている弾性は無い平板状のパーツとする。
【０００７】
フロントバッフル〈１〉はスタンドの最前面に配置するのであって、フロントバッフル（１）を固定するためのパーツ以外、フロントバッフル〈１〉の前に何らかのパーツを配置してバッフル機能を阻害するものは、本願とは異なる発明である。
【０００８】
本願でいうバッフル機能とは、前方と後方とを遮断し音を後ろへ回り込ませないようにするフロントバッフル（１）の持つ機能の事で、一般的なスピーカーバッフルの様に、ユニットを固定する機能は含まない。
【０００９】
本願は、タワミ振動スピーカーを高い位置に設置する場合に必要なスタンドに関しての発明である。
スピーカーを高い位置に設置するとその分スピーカーの下から後ろへ回り込む音が多くなるのであって、もしスピーカーを低い位置に配置する時は、音は床に反射して前へ出てくる分が多く、後ろへ回り込む量はそれほど多くないので、本願の範疇ではない。
又、フロントバッフル（１）が、音を後ろへ回り込ませないようにする機能を有効にするには十分な大きさが必要である。もし、フロントバッフル〈１〉が極端に小さかったら、もともと音を後ろへ回り込ませないようにする機能は不要な構造なのであろうから、本願とは異なる発明である。
【００１０】
あくまで本願の主題は、音を後ろに回り込ませないようにする機能をスピーカースタンドで実現することであり、それ以外の機能を追加して主題を低減や曖昧にさせるもの、例えば、床からフロントバッフル（１）続いてスピーカーバッフルまでの間に、音質調整とは関係の無い、バッフル機能を阻害するようなもの、例えば隙間などがあるものは、本願とは異なる発明である。
【００１１】
単なるカラーボックスや、引き出し付きの収容箱などをバッフル代わりとして、上へスピーカーを設置したとしても、ボックスや箱は確かに音の回り込みを制限する機能はあるが、目障りな引き出しや棚などで余計な音の乱反射なども起こり得るであろうし、音を聴く道具としては見た目のイメージが悪く、バッフル機能、スタンド機能以外の重要な機能も備えているので、単なるボックスや箱は本願とは関係のないものである
【００１２】
最大の効果を得るためには、フロントバッフル（１）は、直接あるいは間接的に床と密着させて使用するが、振動を床に直接伝えたくない場合は、床との間に適度な隙間を設置したり、床との間にインシュレーター、錘台座などを配置できる。
【発明の効果】
【００１３】
フロントバッフル（１）に適度の厚みを持たせる事でスタンドとして機能する十分な強度を得る事が可能であろう。
【００１４】
特許文献３のタワミ振動スピーカーにおいて、スピーカーの１メートル先から正面で計測し、低音域で２dB前後の改善が見られた結果を図８に示した。
なお、タワミ振動スピーカー以外の例えばダイナミックスピーカーの場合は低音ではなく、中音が増強される結果になり、本願では対応しない。
本願の対応するタワミ振動スピーカーとは、振動板の平行往復運動で音を出すダイナミックスピーカーの事では無く、振動板のタワミ振動で音を出す、例えば点駆動スピーカーの事である。
点駆動スピーカーとは、振動板（７）は点接続（８）で接続されている振動棒（６）によって駆動する、図９に示した特許文献３の事である。
【００１５】
以下先行技術と比較して説明する。
【００１６】
特許文献１の図３の基本台座（１）は、バッフル機能が有効になる程の大きさは無く、又、バッフル機能が必要な形態でもなく、もしこのまま基本台座（１）を大きくしたら安定を失いスタンドとして機能しなくなるであろうから、本願とは異なる発明である。
【００１７】
特許文献２のバッフルに該当する弾性脚部１２は弾性を有しているので、本願とは異なる発明である。
【図面の簡単な説明】
【００１８】
【図１】は、実施例１の立体図
【図２】は、実施例２の立体図
【図３】は、実施例３の立体図
【図４】は、実施例４の立体図
【図５】は、実施例５の立体図
【図６】は、実施例６の立体図
【図７】は、実施例７の立体図
【図８】は、比較データ
【図９】は、特許文献３の断面図
【発明を実施するための形態】
【００１９】
以下、様々な実施形態を提示する。
【実施例１】
【００２０】
二枚の板、フロントバッフル（１）と支板（２）をT字状に組み合わせ、上台座（３）へスピーカーを置いて使用する実施例を図１に示した。
【実施例２】
【００２１】
三枚の板、フロントバッフル（１）と支板（２）とを、コの字状に組み合わせた実施例を図２に示した。
上部にスピーカーを載せるか、或いは、他のスピーカースタンドの前に設置する使い方も出来る。
【実施例３】
【００２２】
実施例２にスピーカーを置く為の上台座（３）を追加した実施例を図３に示した。
【実施例４】
【００２３】
実施例３にさらに、全体を安定して設置するための下台座（４）を加えて、上台座（３）を少し小さくした例を図４に示した。設置するスピーカーに対応して適宜上台座（３）の大きさを変更できる。
【実施例５】
【００２４】
上台座（３）と、下台座（４）とを支柱〈５〉で支える構造を図５に示した。
【実施例６】
【００２５】
フロントバッフル（１）を斜めにした構造を図６に示した。
【実施例７】
【００２６】
フロントバッフル（１）を他のスピーカースタンドの前に設置してバッフル効果を得られるように、スピーカーを置く機能を省いた例を図７に示した。
本例は床と密着できるように、移動用の車などは設けない事を特徴としている。
又、より効果的なバッフル効果を得る目的で、スピーカースタンドの脇に設置しても良い。
【実施例８】
【００２７】
本願は主にスピーカーの下方向から後ろへ回り込む音を遮断するものだけれど、横方向、上方向からも後ろへ回り込まないようにバッフルを拡大、変形すれば、より大きい効果を期待できる。
【符号の説明】
【００２８】
１  フロントバッフル
２  支板
３  上台座
４  下台座
５  支柱
６  振動棒
７  振動板
８  点接続
９  可動部分
１０  ダンパ
１１  ボイスコイル
１２  ボビン
１３  ヨーク
１４  マグネット
１５  金属リング
【図１】
2019033309.tif 000003
【図２】
2019033309.tif 000004
【図３】
2019033309.tif 000005
【図４】
2019033309.tif 000006
【図５】
2019033309.tif 000007
【図６】
2019033309.tif 000008
【図７】
2019033309.tif 000009
【図８】
2019033309.tif 000010
【図９】
2019033309.tif 000011